(57)【特許請求の範囲】
【請求項１】
ケーブル断面中心よりも外側に複数のテンションメンバを備えた光ケーブルの端末に、その軸心に沿う一筋のテンションメンバ挿入孔を有するプーリングアイが固着された光ケーブルの端末構造であって、
前記光ケーブルの端末から所定長露出された前記複数のテンションメンバが前記ケーブル断面中心に相当する位置で一本の牽引束に撚り合わされて束ねられ、その牽引束が前記テンションメンバ挿入孔に挿入されている前記プーリングアイを複数箇所で加圧し、少なくとも隣り合う箇所での加圧方向がそれぞれ異なっているかしめによって、前記複数のテンションメンバと前記プーリングアイが固着されていることを特徴とする光ケーブルの端末構造。
【請求項２】
前記光ケーブルは光心線を備えており、前記光ケーブルの端末から所定長露出された前記光心線が、前記かしめが形成された前記プーリングアイの外周に固定されていることを特徴とする請求項１に記載の光ケーブルの端末構造。
【請求項３】
前記光ケーブルの端末と前記プーリングアイとの距離であって、
前記光ケーブルの端末から露出された前記複数のテンションメンバが、前記牽引束となるまでの距離は１０ｍｍから１５ｍｍであることを特徴とする請求項１又は２に記載の光ケーブルの端末構造。
【発明の詳細な説明】
【技術分野】
【０００１】
本発明は、光ケーブルの端末構造に関する。
【背景技術】
【０００２】
従来、テンションメンバをケーブル断面中心に有する光ファイバケーブル用の牽引端末構造として、プーリングアイの挿入孔にテンションメンバを挿入した後、プーリングアイの複数箇所を油圧プレス機等でかしめるなどして、テンションメンバとプーリングアイとが固着されたものがある。そして、テンションメンバとプーリングアイとを固着する際、少なくとも隣り合うかしめ部分の加圧方向をそれぞれ異ならせることにより、テンションメンバとプーリングアイの固着力をより強固にし、その把持力を増強させた技術が知られている（例えば、特許文献１参照。）。
このようにテンションメンバをケーブル断面中心に有する光ケーブルの場合、ケーブルから真っ直ぐに引き出したテンションメンバをプーリングアイに固着しやすく、その牽引端末構造は比較的シンプルで小型化しやすいものであった。
【０００３】
一方、テンションメンバがケーブル断面中心ではない位置に配置されたケーブルがある。
そのようなケーブルの先端側外周に、複数の帯を螺旋状に巻回してケーブルグリップを固定してなる牽引端末構造が知られている（例えば、特許文献２参照。）。
【０００４】
また、ケーブル断面中心ではない位置に配置された複数（例えば２本）のテンションメンバを個別に把持する牽引端末構造がある。
例えば、帯状平板によるＵ字構造を成す牽引端末の２箇所の把持部にそれぞれ１本ずつテンションメンバを固定してなる牽引端末構造が知られている（例えば、特許文献３参照。）。
また例えば、２本のテンションメンバを１本ずつ挿入穴に収納した保持具をケーブルの先端側外周に配し、その保持具の外側に被牽引具を螺合してなる牽引端末構造が知られている（例えば、特許文献４参照。）。
【先行技術文献】
【特許文献】
【０００５】
【特許文献１】特許第３４１８２９７号公報
【特許文献２】特公平６−４５４２３号公報
【特許文献３】特開２００５−１２１６７８号公報
【特許文献４】特開２０１０−２１７３１６号公報
【発明の概要】
【発明が解決しようとする課題】
【０００６】
しかしながら、上記従来技術（特許文献２）のケーブルグリップの場合、複数の帯をケーブルの外周に螺旋状に巻回することで、そのケーブルを把持する構造であるので、牽引端末構造が太くなってしまうという問題があった。
【０００７】
また、上記特許文献３の場合、ケーブルが有するテンションメンバの数と同じ数の把持部が必要となり、その複数の把持部がケーブルの外周付近に配置されるため、牽引端末構造が太くなってしまうという問題があった。
また、上記特許文献４の場合、保持具及び被牽引具がケーブルの外周付近に配置されるため、牽引端末構造が太くなってしまうという問題があった。
【０００８】
本発明の目的は、ケーブル断面中心でない位置に複数のテンションメンバが配置された光ケーブルの端末構造を小型化することである。
【課題を解決するための手段】
【０００９】
以上の課題を解決するため、請求項１に記載の発明は、
ケーブル断面中心よりも外側に複数のテンションメンバを備えた光ケーブルの端末に、その軸心に沿う一筋のテンションメンバ挿入孔を有するプーリングアイが固着された光ケーブルの端末構造であって、
前記光ケーブルの端末から所定長露出された前記複数のテンションメンバが前記ケーブル断面中心に相当する位置で一本の牽引束に撚り合わされて束ねられ、その牽引束が前記テンションメンバ挿入孔に挿入されている前記プーリングアイを複数箇所で加圧し、少なくとも隣り合う箇所での加圧方向がそれぞれ異なっているかしめによって、前記複数のテンションメンバと前記プーリングアイが固着されていることを特徴とする。
【００１０】
請求項２に記載の発明は、請求項１に記載の光ケーブルの端末構造において、
前記光ケーブルは光心線を備えており、前記光ケーブルの端末から所定長露出された前記光心線が、前記かしめが形成された前記プーリングアイの外周に固定されていることを特徴とする。
【００１３】
請求項５に記載の発明は、請求項１又は２に記載の光ケーブルの端末構造において、
前記光ケーブルの端末と前記プーリングアイとの距離であって、
前記光ケーブルの端末から露出された前記複数のテンションメンバが、前記牽引束となるまでの距離は１０ｍｍから１５ｍｍであることを特徴とする。
【発明の効果】
【００１４】
本発明によれば、ケーブル断面中心でない位置に複数のテンションメンバが配置された光ケーブルの端末構造を小型化することができ、光ケーブルを敷設する際の牽引力に十分に耐えうる牽引端末構造とすることができる。
【図面の簡単な説明】
【００１５】
【図１】光ケーブルであるスロットレス型光ファイバケーブルを示す断面図である。
【図２】光ケーブルとプーリングアイを示す側面図である。
【図３】プーリングアイに光ケーブルのテンションメンバ（牽引束）を挿入した状態を一部破断視して示す側面図である。
【図４】テンションメンバ（牽引束）を挿入したプーリングアイにかしめを形成した状態を一部破断視して示す側面図である。
【図５】光ケーブルの端末にプーリングアイが固着された光ケーブルの端末構造を示す側面図である。
【図６】光ケーブルのテンションメンバを束ねた牽引束の変形例を一部破断視して示す側面図である。
【図７】光ケーブルの端末にプーリングアイを固着する比較例を示す図であり、２つの挿入孔を有するプーリングアイを示す側面図（ａ）、テンションメンバを挿入したプーリングアイにかしめを形成した状態を示す側面図（ｂ）、かしめの加圧方向を示す説明図（ｃ）である。
【図８】光ケーブルの端末にプーリングアイを固着する比較例を示す図であり、２つの挿入孔を有するプーリングアイを示す側面図（ａ）、テンションメンバを挿入したプーリングアイにかしめを形成した状態を示す側面図（ｂ）、かしめの加圧方向を示す説明図（ｃ）である。
【図９】光ケーブルの端末にプーリングアイを固着する本発明の変形例を示す図であり、８本のテンションメンバを備えた光ケーブルの断面図（ａ）、プーリングアイに光ケーブルのテンションメンバ（牽引束）を挿入した状態を一部破断視して示す側面図（ｂ）である。
【発明を実施するための形態】
【００１６】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１７】
（実施形態１）
図１は、スロットレス型光ファイバケーブル（光ケーブル１０）を示す断面図である。
このスロットレス型光ファイバケーブルは、ケーブル断面中心よりも外側に複数のテンションメンバを備えた光ケーブルである。
【００１８】
光ケーブル１０は、図１に示すように、例えば、１０枚の光ファイバテープ心線１１が積層された光心線積層体をケーブルの中心部に備えている。ここでの光心線積層体は、６枚の光ファイバテープ心線１１の積層体を、対を成す２枚の光ファイバテープ心線１１の積層体で挟んだ構造を有している。
なお、光ファイバテープ心線１１（以下、光心線１１）とは、複数本（図中４本）の光ファイバ心線を横一列に並べて樹脂で一体化したものである。
【００１９】
光心線１１の周囲には、例えば、４本の巻き付け材１２を螺旋状に巻回してなる緩衝層が設けられている。
巻き付け材１２は、例えばポリプロピレン繊維で構成されており、ポリプロピレン繊維からなる緩衝層が光心線１１を覆っている。緩衝層には、複数のポリプロピレンフィラメントを撚り合わせた繊維紐、例えば、ＰＰヤーン（ポリプロピレン・ヤーン）などを用いることができる。
この巻き付け材１２（緩衝層）の周囲を囲繞するように、押え巻きテープ１３が巻回されている。
【００２０】
押え巻きテープ１３の外側には、押出成形により形成された外被１４が設けられている。
この外被１４には、ケーブル断面中心を挟む配置に、２本のテンションメンバ１５がケーブルの長手方向と平行に埋設されている。
外被１４は、例えば、ポリエチレン系の合成樹脂材料で構成されている。
テンションメンバ１５には、例えば、単鋼線、鋼撚線、ＦＲＰ等を用いることができる。
【００２１】
また、外被１４内には、押え巻きテープ１３の周面に沿い、２本の引裂紐１６がケーブルの長手方向に埋設されている。この引裂紐１６は、外被１４の剥ぎ取りを容易にすべく設けられた部材である。
【００２２】
次に、この光ケーブル１０の端末にプーリングアイ２０を固着してなる、光ケーブルの端末構造１について説明する。
【００２３】
図２に示すように、プーリングアイ２０は、一端側に牽引ロープを繋ぎ止めるためのロープ引止環部２０ａを有しており、他端側にテンションメンバ挿入孔２１を有している。このテンションメンバ挿入孔２１は、プーリングアイ２０の軸心に沿う一箇所に形成されている。このプーリングアイ２０は、光ケーブル１０を牽引するために十分な強度を持った材質、例えば鉄などの金属からなる。
このプーリングアイ２０を固着させる光ケーブル１０として、外径が１１ｍｍであってテンションメンバ１５の径が１ｍｍの単鋼線を用いた。
【００２４】
まず、図３に示すように、光ケーブル１０の端末から所定長の外被１４を剥ぎ取り、その光ケーブル１０の端末にテンションメンバ１５を露出させる。また、押え巻きテープ１３および緩衝層（巻き付け材１２）を外被切断箇所と同じ位置にて切断し、光心線１１を露出させる。
次いで、露出された２本のテンションメンバ１５をケーブル断面中心に相当する位置で一本に束ねた牽引束１５ａを、プーリングアイ２０のテンションメンバ挿入孔２１に挿入する。図３に示す牽引束１５ａは、２本のテンションメンバ１５を並行させて引き揃えて束ねた牽引束である。
ここで、光ケーブル１０において外被１４および緩衝層が切断されている端面と、プーリングアイ２０の後端部（テンションメンバ挿入孔２１側の端部）との距離が近過ぎると、テンションメンバ１５をケーブル断面中心に相当する位置に引き揃える際に曲げる曲率が大きくなり、テンションメンバ１５が折れるなど破損してしまうことがある。また、後述する光心線１１をプーリングアイ２０の外周に沿わすことが困難になることがある。そのため、ケーブル端面（外被切断箇所）とプーリングアイ２０の後端部との距離は、１０〜１５ｍｍ程度であることが好ましい。
【００２５】
次いで、図４に示すように、牽引束１５ａがテンションメンバ挿入孔２１に挿入されているプーリングアイ２０を所定方向に加圧してかしめることによってかしめ２２を形成し、テンションメンバ１５とプーリングアイ２０を固着する。
ここでは、プーリングアイ２０に３箇所のかしめ２２が形成されている。特に、少なくとも隣り合うかしめ２２の加圧方向がそれぞれ異なるように、例えば、油圧プレス機やかしめ冶具（六角ダイス）等により加圧が施されてなるかしめ２２が形成されている、例えば、図４中、中央側のかしめ２２は牽引束１５ａを挟む上下方向の加圧によって形成されており、その両側の２つのかしめ２２は牽引束１５ａを挟む左右方向の加圧によって形成されている。
なお、図４（図５）は、図３に示した光ケーブル１０およびプーリングアイ２０を、その軸線を中心に９０度回転させた方向から視認した状態を示している。
【００２６】
また、図４に示すように、露出された光心線１１を５枚ずつの２束に分割したものを、プーリングアイ２０の外周面に対してプーリングアイ２０の長手方向に沿わす（縦ぞえする）。
更に、プーリングアイ２０の外周面に沿わせた光心線１１の上から、その光心線１１を覆うように円筒状の熱収縮チューブ３０を装着する。この熱収縮チューブ３０を加熱して収縮させることによって、プーリングアイ２０と熱収縮チューブ３０の間に光心線１１を挟み込み、その光心線１１をかしめ２２が形成されたプーリングアイ２０の外周面に固定する。なお、熱収縮チューブ３０は加熱収縮時に溶ける接着層を内面に有している。
こうして、図５に示すように、光ケーブル１０の端末にプーリングアイ２０が固着された、光ケーブルの端末構造１を組み上げることができる。
【００２７】
このように、本発明に係る光ケーブルの端末構造１は、複数（２本）のテンションメンバ１５をケーブル断面中心に相当する位置で束ねた一本の牽引束１５ａを、プーリングアイ２０の軸心に沿って形成されているテンションメンバ挿入孔２１に挿入する構成であるため、光ケーブル１０に対して比較的細いプーリングアイ２０を用いることができる。
そして、比較的細いプーリングアイ２０に形成された一筋のテンションメンバ挿入孔２１に牽引束１５ａを挿入し、テンションメンバ１５とプーリングアイ２０を固着してなる光ケーブルの端末構造１を小型化することができる。
また、プーリングアイ２０に３箇所のかしめ２２を形成して、テンションメンバ１５とプーリングアイ２０を固着しており、特に、隣り合うかしめ２２の加圧方向がそれぞれ異なるようにかしめ２２が形成されているので、テンションメンバ１５とプーリングアイ２０の固着力をより強固にし、その把持力を増強させることができる。その結果、光ケーブル１０を敷設する際、光ケーブルの端末構造１を引き回すための牽引力に十分に耐えることができる。
【００２８】
（実施形態２）
次に、本発明に係る光ケーブルの端末構造の実施形態２について説明する。なお、実施形態１と同様の構成については、同符号を付して説明を割愛する。
図６に示すように、露出された２本のテンションメンバ１５をケーブル断面中心に相当する位置で撚り合わせて束ねた牽引束１５ｂを、プーリングアイ２０のテンションメンバ挿入孔２１に挿入する構造であってもよい。なお、図６に示す牽引束１５ｂは、２本のテンションメンバ１５を２０ｍｍピッチで撚り合わせて束ねた牽引束である。
この牽引束１５ｂ以外の構成は、実施形態１の光ケーブルの端末構造１と同様の構成である。
このような牽引束１５ｂをプーリングアイ２０のテンションメンバ挿入孔２１に挿入した後、かしめ２２を形成してなる光ケーブルの端末構造であっても、実施形態１の光ケーブルの端末構造１と同様の効果が得られる。
また、２本のテンションメンバ１５を撚り合わせて一体化した牽引束１５ｂは、その剛性が増しており、テンションメンバ挿入孔２１に挿入しやすいなどのメリットがある。
【００２９】
次に、本発明に係る光ケーブルの端末構造１（実施形態１、実施形態２）の効果を確認すべく、以下の比較例１、比較例２をあわせて検証した。
【００３０】
（比較例１）
図７（ａ）に示すように、比較例１に用いたプーリングアイ４０は、光ケーブル１０における２本のテンションメンバ１５と同じ間隔をあけた二筋のテンションメンバ挿入孔４１を有しており、図２に示したプーリングアイ２０よりも太いものである。
そして、図７（ｂ）に示すように、光ケーブル１０の端末から所定長の外被１４を剥ぎ取って露出された２本のテンションメンバ１５を、その延長線上に対応する二筋のテンションメンバ挿入孔４１に真っ直ぐに挿入する。
次いで、テンションメンバ１５がテンションメンバ挿入孔４１に挿入されているプーリングアイ４０を所定方向に加圧してかしめることによって３箇所のかしめ４２を形成し、テンションメンバ１５とプーリングアイ４０を固着する。例えば、図７（ｃ）に示すように、中央側のかしめ４２は六角ダイス６０による上下方向の加圧によって形成されており、その両側の２つのかしめ４２は六角ダイス６０による左右方向の加圧によって形成されている。
そして、実施形態１と同様に、緩衝層（巻き付け材１２）等を外被切断箇所と同じ位置にて切断して露出されている光心線１１を５枚ずつの２束に分割したものを、プーリングアイ４０の外周面に沿わせ、その光心線１１の上から被せた円筒状の熱収縮チューブ３０を加熱して収縮させることによって、プーリングアイ４０と熱収縮チューブ３０の間に光心線１１を挟み込み、その光心線１１をかしめ４２が形成されたプーリングアイ４０の外周面に固定する。
こうして、比較例１の光ケーブルの端末構造を組み上げた。
【００３１】
（比較例２）
図８（ａ）に示すように、比較例２に用いたプーリングアイ５０は、光ケーブル１０における２本のテンションメンバ１５と同じ間隔をあけた二筋のテンションメンバ挿入孔５１を有しており、図２に示したプーリングアイ２０よりも太く、その断面が略「８」字形状を呈するものである。
そして、図８（ｂ）に示すように、光ケーブル１０の端末から所定長の外被１４を剥ぎ取って露出された２本のテンションメンバ１５を、その延長線上に対応する二筋のテンションメンバ挿入孔５１に真っ直ぐに挿入する。
次いで、テンションメンバ１５がテンションメンバ挿入孔５１に挿入されているプーリングアイ５０を所定方向に加圧してかしめることによって３箇所のかしめ５２を形成し、テンションメンバ１５とプーリングアイ５０を固着する。例えば、図８（ｃ）に示すように、３箇所のかしめ５２は、変形六角ダイス７０による左右方向の加圧によって形成されている。
そして、実施形態１と同様に、緩衝層（巻き付け材１２）等を外被切断箇所と同じ位置にて切断して露出されている光心線１１を５枚ずつの２束に分割したものを、プーリングアイ５０の外周面に沿わせ、その光心線１１の上から被せた円筒状の熱収縮チューブ３０を加熱して収縮させることによって、プーリングアイ５０と熱収縮チューブ３０の間に光心線１１を挟み込み、その光心線１１をかしめ５２が形成されたプーリングアイ５０の外周面に固定する。
こうして、比較例２の光ケーブルの端末構造を組み上げた。
【００３２】
前述した実施形態１の光ケーブルの端末構造１に対応する実施例１、実施形態２に対応する実施例２、比較例１および比較例２に関し、テンションメンバの把持力（テンションメンバとプーリングアイの固着力）と、光ケーブルの端末構造の最大径の各項目についての評価結果を表１に示す。
【００３３】
【表１】
0005416167.tif 000002
【００３４】
表１に示した評価結果から明らかなように、実施例１および実施例２における光ケーブルの端末構造１の最大径は、比較例１および比較例２のものよりも細く、本発明に係る光ケーブルの端末構造１の小型化が図られていることがわかる。
これは、実施例１および実施例２のように、その軸心に沿う一筋のテンションメンバ挿入孔２１を有するプーリングアイ２０であれば、光ケーブル１０に対して比較的細い形状とすることができ、光ケーブルの端末構造１を小型化することが可能になっていることによる。
これに対し、比較例１および比較例２のように、２本のテンションメンバ１５と同じ間隔をあけた二筋のテンションメンバ挿入孔（４１、５１）を有するプーリングアイ（４０、５０）では、光ケーブル１０に対して比較的太い形状になってしまうので、光ケーブルの端末構造の小型化に限界がある。
【００３５】
また、表１に示した評価結果から明らかなように、テンションメンバの把持力についても、実施例１および実施例２における光ケーブルの端末構造１が優れていることがわかる。
これは、実施例１および実施例２のように、その軸心に沿う一筋のテンションメンバ挿入孔２１に挿入された牽引束（テンションメンバ１５）に対して圧力が集中するように、プーリングアイ２０の外周からほぼ均等に加圧が施されたかしめ２２が形成されていることによる。
これに対し、比較例１のように、プーリングアイ４０の軸心から外側にずれた位置にあるテンションメンバ挿入孔４１に挿入されたテンションメンバ１５には、かしめ４２を形成する際の加圧力を集中させることができず、テンションメンバとプーリングアイの固着力を実施例の端末構造ほど強くすることができなかったためである。
また、比較例２の場合、テンションメンバ挿入孔５１に挿入されたテンションメンバ１５に対してかしめ５２を形成する際の加圧力を、比較例１よりも集中させることができるが、隣り合うかしめ５２の加圧方向が同じであるため、実施例１および実施例２よりも劣る結果となった。
【００３６】
以上のように、ケーブル断面中心よりも外側に複数（２本）のテンションメンバ１５を備えた光ケーブル１０の端末にプーリングアイ２０を固着する場合、複数（２本）のテンションメンバ１５をケーブル断面中心に相当する位置で束ねた一本の牽引束（１５ａ、１５ｂ）を、プーリングアイ２０の軸心に沿って形成されているテンションメンバ挿入孔２１に挿入した後、プーリングアイ２０に加圧を施してかしめ２２を形成し、テンションメンバ１５とプーリングアイ２０を固着させるようにすれば、その牽引端末構造を小型化するとともに、光ケーブル１０を敷設する際の牽引力に十分に耐えうる、光ケーブルの端末構造１を形成することができる。
【００３７】
なお、本発明は上記実施形態に限られるものではない。
例えば、図９（ａ）に示すように、ケーブル断面中心よりも外側の外被１４に８本のテンションメンバ１５がケーブルの長手方向と平行に埋設されている光ケーブル１０ａと、プーリングアイ２０とを固着してなる光ケーブルの端末構造１であってもよい。
この光ケーブル１０ａは、例えば、１２枚の光心線１１が積層された光心線積層体をケーブルの中心部に備え、その光心線１１の周囲に、例えば、４本の巻き付け材１２を螺旋状に巻回してなる緩衝層が設けられ、その緩衝層（巻き付け材１２）の外側に押出成形により形成された外被１４が設けられており、その外被１４に８本のテンションメンバ１５が埋設されている。
そして、図９（ｂ）に示すように、光ケーブル１０ａの端末から所定長の外被１４を剥ぎ取り、露出された８本のテンションメンバ１５をケーブル断面中心に相当する位置で撚り合わせて束ねた牽引束１５ｂを、プーリングアイ２０のテンションメンバ挿入孔２１に挿入し、そのプーリングアイ２０にかしめ２２を形成するようにすればよい。
また、実施形態１と同様に、緩衝層（巻き付け材１２）等を外被切断箇所と同じ位置にて切断して露出されている光心線１１を６枚ずつの２束に分割したものを、プーリングアイ２０の外周面に沿わせ、その光心線１１の上から被せた円筒状の熱収縮チューブ３０を加熱して収縮させることによって、プーリングアイ２０と熱収縮チューブ３０の間に光心線１１を挟み込み、その光心線１１をかしめ２２が形成されたプーリングアイ２０の外周面に固定することで、光ケーブルの端末構造１を組み上げることができる。
【００３８】
なお、一般的には、テンションメンバ１５が太くなると、テンションメンバ１５をケーブル断面中心に相当する位置に束ねて沿わせる作業が困難となるので、本発明を適用するスロットレス型光ファイバケーブル（光ケーブル）のテンションメンバ１５の径は１．６ｍｍ以下であることが望ましい。
【００３９】
また、ケーブル外径が小さい、あるいは外被１４が薄い場合、テンションメンバ１５同士をケーブル断面中心に沿わせた際、外被１４が略楕円状に変形し、テンションメンバ１５に急激な曲がりを加えることなくテンションメンバ１５を束ねることができる。これに対し、ケーブル外径が大きくなる、あるいは外被１４が厚くなると、外被１４の剛性が上がるため、複数のテンションメンバ１５同士をケーブル断面中心に沿わせる際に、外被１４が切断された外被切断箇所（ケーブル端面）で露出されたテンションメンバ１５の根元にて、テンションメンバ１５に急激な曲がりが発生する。そのため、ケーブル外径は１６ｍｍ以下、外被１４の厚さは３．０ｍｍ以下であることが望ましい。
【００４０】
なお、本発明の適用は上述した実施形態に限定されることなく、本発明の趣旨を逸脱しない範囲で適宜変更可能である。
【符号の説明】
【００４１】
１      光ケーブルの端末構造
１０、１０ａ  光ケーブル
１１    光心線
１２    巻き付け材
１３    押え巻きテープ
１４    外被
１５    テンションメンバ
１５ａ、１５ｂ  牽引束
１６    引裂紐
２０    プーリングアイ
２１    テンションメンバ挿入孔
２２    かしめ
３０    熱収縮チューブ
【図１】
0005416167.tif 000003
【図２】
0005416167.tif 000004
【図３】
0005416167.tif 000005
【図４】
0005416167.tif 000006
【図５】
0005416167.tif 000007
【図６】
0005416167.tif 000008
【図７】
0005416167.tif 000009
【図８】
0005416167.tif 000010
【図９】
0005416167.tif 000011